(57)【特許請求の範囲】
【請求項１】
手を触れることなく足の爪先で跳ね上げることでドアの内側から施錠ならびに開錠操作ができる打掛式のドアロック装置が取り付けられるドア開閉装置であって、
前記ドアロック装置は、取付けベースプレートと、回動プレートと、跳ね上げレバーと、持受けベースプレートと、で構成され、
前記取付けベースプレートは、壁の側面に装着固定される平板状に形成されると共に、前記回動プレートの開錠時の水平状態を維持する突起状の水平止ストッパーを備えて成り、
前記回動プレートは、長尺平板状に形成され、その基端部が前記取付けベースプレートに枢軸を介して回動可能に軸支される形状に形成されて成り、
前記跳ね上げレバーは、前記回動プレートの先端部に足の爪先で跳ね上げることで上方に向けて跳ね上げることができる所定の厚さと当接面積を有する平板状に形成すると共に、装着側の面に対して反対方向に延設して成り、
前記持受けベースプレートは、平板状のプレートを開口口が上方を向く略コの字状に屈曲させた抱持凹部を形成すると共に、該屈曲された立ち上がり面にくり抜き状のレバー受け凹部を形成し、施錠時の前記回動プレートの水平状態が維持されて成り、    
前記ドアロック装置が、戸先側方向が開放される略Ｌ形の開閉補助レバーをドア高さの中間位置より上方の内側と外側に設けた内開きドア、または戸先側方向が開放される略Ｌ形の開閉補助レバーをドア高さの中間位置より上方の内側と外側に設けた外開きドア、または開放側がドア面に装着される略コの字状の開閉補助レバーをドア高さの中間位置より上方の内側と外側に設けた引き戸ドアの壁側とドア側の室内側下方付近に取り付けられて成ることを特徴とするドア開閉装置。
【請求項２】
手を触れることなく足の爪先で跳ね上げることでドアの内側から施錠ならびに開錠操作ができる打掛式のドアロック装置が取り付けられるドア開閉装置であって、
前記ドアロック装置は、取付けベースプレートと、回動プレートと、跳ね上げレバーと、持受けベースプレートと、で構成され、
前記取付けベースプレートは、壁の側面に装着固定される平板状に形成されると共に、前記回動プレートの開錠時の水平状態を維持する突起状の水平止ストッパーを備えて成り、
前記回動プレートは、長尺平板状に形成され、その基端部が前記取付けベースプレートに枢軸を介して回動可能に軸支される形状に形成されると共に、先端部付近には回動プレートストッパーに掛止される凹部状のストッパー受け凹部を形成して成り、
前記跳ね上げレバーは、前記回動プレートの先端部に足の爪先で跳ね上げることで上方に向けて跳ね上げることができる所定の厚さと当接面積を有する平板状に形成すると共に、装着側の面に対して反対方向に延設して成り、
前記持受けベースプレートは、平板状に形成され、施錠時の前記回動プレートの水平状態が維持される位置に頭部に段差を有する回動プレートストッパーを突設して成り、
前記ドアロック装置が、戸先側方向が開放される略Ｌ形の開閉補助レバーをドア高さの中間位置より上方の内側と外側に設けた内開きドア、または戸先側方向が開放される略Ｌ形の開閉補助レバーをドア高さの中間位置より上方の内側と外側に設けた外開きドア、または開放側がドア面に装着される略コの字状の開閉補助レバーをドア高さの中間位置より上方の内側と外側に設けた引き戸ドアの壁側とドア側の室内側下方付近に取り付けられて成ることを特徴とするドア開閉装置。
【請求項３】
前記回動プレートの枢軸の壁を挟んだ対向位置に使用中を表示する表示プレートを連結して成ることを特徴とする請求項１または請求項２記載のドア開閉装置。
【発明の詳細な説明】
【技術分野】
【０００１】
本発明は、手を触れることなく足の爪先で跳ね上げることでドアの内側から施錠ならびに開錠操作ができる打掛式のドアロック装置が取り付けられるドア開閉装置に関する。
【背景技術】
【０００２】
２００２年から２０１５年にかけて発生したＳＡＲＳウイルスやＭＥＲＳウイルスに続いて、２０２０年に発生した新型コロナウイルス等の感染拡大経路としては、「三つの密」密閉空間（換気の悪い密閉空間である）、密集場所（多くの人が密集している）、密接場面（互いに手を伸ばしたら届く距離での会話や発声が行われる）によって感染する飛沫感染、３時間程度は室内の空気中をエアロゾルとともに漂い続けて感染力を持ち続けるエアロゾル感染や、電車やバスのつり革、ドアノブ、エレベーターやの電気機器のスイッチなどに不特定多数の人が接触することで感染する接触感染等によって感染が拡大することが確認されている。
【０００３】
上記における感染予防対策としては、日常生活の中で人混みや近距離での会話を避けること、多数の人が集まる室内において大きな声を出して歌うことや、密接した状況で呼気が激しくなるような言動や行動を避けること、石けんやアルコール消毒液を使ってこまめに手洗いを励行すること、マスクを着用して自己への感染を回避するとともに、咳エチケットにより飛沫を飛ばさないようにして他人を感染させないようにすること、室内の換気をこまめに行うこと、などが感染予防対策の効果を上げる重要な要素とされている。
【０００４】
しかしながら、ＰＣＲ検査等によって判明する新規陽性感染者数に対する感染経路不明者の割合は４０〜５０％を占めており、未だにその感染経路が把握されていないのが実情であり、現時点で抗体ワクチンが開発されていないことも重なり、今や新型コロナウイルスは、留まることなくパンデミックに感染の拡大の一途をたどっている。
【０００５】
本出願人は、上記の感染経路不明者における感染原因として、不特定多数の人が接触する可能性のある公共施設、大型商業施設、公共交通機関、学校、病院、飲食店、大型レジャー施設、高速道路パーキング施設等のラバトリーブースのドアノブとロック装置に接触する直接感染の可能性に着目し、それらの要因を解決すべき、手を触れることなくドアの開閉操作と施錠操作が容易にできるウイルス感染予防装置を提案するものである。
【０００６】
上記における問題を解決するために既に開発されている商品としては、キーホルダー型の「非接触ドアオープナー」ならびに「足踏み式フットペダル」（非特許文献１）や、ドアにＬ型のフランジを装着する「ノブフック♯１」（非特許文献２）や、足でドアノブを回す「ノータッチノブ」（非特許文献３）などが提供されている。
【０００７】
しかしながら、上記における何れの商品も手を使用しないでドアを開閉することはできるが、手を使用しないでドアの開閉とドアのロックを同時に行うことができないものであった。
【０００８】
一方、小物類の置き忘れを防止でき、打掛錠の施錠、解錠操作もでき、非常解錠操作の邪魔にならないように打掛錠に装着可能な「打掛錠用忘れ物防止装置」（特許文献４）が提案され、公知技術となってる。
【０００９】
しかしながら、かかる「打掛錠用忘れ物防止装置」の提案は、扉又は支持体に取り付けられた打掛錠に、忘れ物防止用のトレイを取り付けた打掛錠用忘れ物防止装置において、トレイは小物類を載せることのできる載せ部を備え、打掛錠の回転に伴って横向きに回転できるように打掛錠の回転部に取り付けられており、打掛錠が取り付けられた扉又は支持体と反対側に受け具が取り付けられ、受け具は横向きになったトレイの載せ部の先端側を支持できる箇所に取り付けられた手段を採用していることによって、上記の実用化されている製品同様に、手を使用しないでドアを開閉することはできるが、手を使用しないでロック装置自体をロックすることができない提案となっている。
【００１０】
本出願人は、新型コロナウイルスの感染経路不明者における感染原因として、不特定多数の人が接触する可能性のある大型施設等のラバトリーブースのドアノブとロック装置に接触する直接感染の可能性に着目し、それらの要因を解決すべき、手を触れることなく足の爪先で跳ね上げることでドアの内側から施錠ならびに開錠操作ができる打掛式のドアロック装置が取り付けられるドア開閉装置を開発し、本発明における「ドア開閉装置」の提案に至るものである。
【先行技術文献】
【特許文献】
【００１１】
【非特許文献１】商品名  「非接触ドアオープナー、足踏み式フットペダル」
【非特許文献２】商品名  「ノブフック♯１」
【非特許文献３】商品名  「ノータッチノブ」
【特許文献４】特開２０２０−８１３８９号公報
【発明の概要】
【発明が解決しようとする課題】
【００１２】
本発明は上記問題点を鑑み、手を触れることなく足の爪先で跳ね上げることでドアの内側から施錠ならびに開錠操作ができる打掛式のドアロック装置が取り付けられるドア開閉装置の提供を図る。
【課題を解決するための手段】
【００１３】
本発明は上記課題を解決するためになされるもので、本発明におけるドア開閉装置は、手を触れることなく足の爪先で跳ね上げることでドアの内側から施錠ならびに開錠操作ができる打掛式のドアロック装置が取り付けられるドア開閉装置であって、前記ドアロック装置は、取付けベースプレートと、回動プレートと、跳ね上げレバーと、持受けベースプレートと、で構成され、前記取付けベースプレートは、壁の側面に装着固定される平板状に形成されると共に、前記回動プレートの開錠時の水平状態を維持する突起状の水平止ストッパーを備えて成り、前記回動プレートは、長尺平板状に形成され、その基端部が前記取付けベースプレートに枢軸を介して回動可能に軸支される形状に形成されて成り、前記跳ね上げレバーは、前記回動プレートの先端部に足の爪先で跳ね上げることで上方に向けて跳ね上げることができる所定の厚さと当接面積を有する平板状に形成すると共に、装着側の面に対して反対方向に延設して成り、前記持受けベースプレートは、平板状のプレートを開口口が上方を向く略コの字状に屈曲させた抱持凹部を形成すると共に、該屈曲された立ち上がり面にくり抜き状のレバー受け凹部を形成し、施錠時の前記回動プレートの水平状態が維持されて成り、前記ドアロック装置が、戸先側方向が開放される略Ｌ形の開閉補助レバーをドア高さの中間位置より上方の内側と外側に設けた内開きドア、または戸先側方向が開放される略Ｌ形の開閉補助レバーをドア高さの中間位置より上方の内側と外側に設けた外開きドア、または開放側がドア面に装着される略コの字状の開閉補助レバーをドア高さの中間位置より上方の内側と外側に設けた引き戸ドアの壁側とドア側の室内側下方付近に取り付けられて成る手段を採る。
【００１４】
また、本発明におけるドア開閉装置は、手を触れることなく足の爪先で跳ね上げることでドアの内側から施錠ならびに開錠操作ができる打掛式のドアロック装置が取り付けられるドア開閉装置であって、前記ドアロック装置は、取付けベースプレートと、回動プレートと、跳ね上げレバーと、持受けベースプレートと、で構成され、前記取付けベースプレートは、壁の側面に装着固定される平板状に形成されると共に、前記回動プレートの開錠時の水平状態を維持する突起状の水平止ストッパーを備えて成り、前記回動プレートは、長尺平板状に形成され、その基端部が前記取付けベースプレートに枢軸を介して回動可能に軸支される形状に形成されると共に、先端部付近には回動プレートストッパーに掛止される凹部状のストッパー受け凹部を形成して成り、前記跳ね上げレバーは、前記回動プレートの先端部に足の爪先で跳ね上げることで上方に向けて跳ね上げることができる所定の厚さと当接面積を有する平板状に形成すると共に、装着側の面に対して反対方向に延設して成り、前記持受けベースプレートは、平板状に形成され、施錠時の前記回動プレートの水平状態が維持される位置に頭部に段差を有する回動プレートストッパーを突設して成り、前記ドアロック装置が、戸先側方向が開放される略Ｌ形の開閉補助レバーをドア高さの中間位置より上方の内側と外側に設けた内開きドア、または戸先側方向が開放される略Ｌ形の開閉補助レバーをドア高さの中間位置より上方の内側と外側に設けた外開きドア、または開放側がドア面に装着される略コの字状の開閉補助レバーをドア高さの中間位置より上方の内側と外側に設けた引き戸ドアの壁側とドア側の室内側下方付近に取り付けられて成る手段を採る。
【００１５】
また、本発明におけるドア開閉装置は、前記回動プレートの枢軸の壁を挟んだ対向位置に使用中を表示する表示プレートを連結して成る手段を採る。
【発明の効果】
【００１６】
本発明におけるドア開閉装置によれば、ドアノブに直接触れることなく、ドアの開閉操作と、ドアのロック操作をドアの内側から容易に行える、といった優れた効果を奏する。
【００１７】
また、本発明におけるドア開閉装置によれば、足の爪先でドアの内側から施錠ならびに開錠操作ができる、といった優れた効果を奏する。
【００１８】
また、本発明におけるドア開閉装置によれば、不特定多数の人が利用するトイレ用のドアノブとロック装置において、美的外観性、コンパクト性、清潔性を備えてラバトリーブースに装着することができる、といった優れた効果を奏する。
【００１９】
また、本発明におけるドア開閉装置によれば、回動プレートの枢軸の壁面を挟んだ対向位置に使用中を表示する表示プレートを連結していることによって、使用中の表示が室外から視認することができる、といった優れた効果を奏する。
【００２０】
また、本発明におけるドア開閉装置によれば、ドアロック装置が、壁側とドア側の室内側下方付近に取り付けられていることによって、手を使わずに足の爪先でドアのロック操作が容易にできる、といった優れた効果を奏する。
【００２１】
また、本発明におけるドア開閉装置によれば、ドアロック装置を内開きドア、外開きドア、引き戸ドアの何れの開閉ドアにも装着することができる、といった優れた効果を奏する。
【００２２】
また、本発明におけるドア開閉装置によれば、開閉補助レバーをドア側の室外側と室内側に其々設けることによって、手を使わずに肘で開閉することができる、といった優れた効果を奏する。
【図面の簡単な説明】
【００２３】
【図１】本発明のドア開閉装置の実施形態を示す説明図である。  （実施例１）
【図２】本発明のドア開閉装置の使用状態を示す説明図である。
【図３】本発明のドアロック装置を内開きドアに装着した状態を示す説明図である。
【図４】本発明のドアロック装置を外開きドアに装着した状態を示す説明図である。
【図５】本発明のドアロック装置を引き戸ドアに装着した状態を示す説明図である。
【図６】本発明のドア開閉装置の別の実施形態を示す説明図である。  （実施例２）
【図７】本発明のドア開閉装置の別の実施形態を示す説明図である。  （実施例３）
【発明を実施するための形態】
【００２４】
本発明におけるドア開閉装置１０は、手を触れることなく足の爪先Ｆで跳ね上げることでドアの内側から施錠ならびに開錠操作ができる打掛式のドアロック装置１１が取り付けられるドア開閉装置１０であって、内開きドア７２、外開きドア７３、引き戸ドア７４の何れの開閉ドアＤにも取り付けることができる手段を採ったことを最大の特徴とする。以下、本発明の実施形態を図面に基づいて説明する。
【００２５】
尚、本発明のドア開閉装置１０は、以下に述べる実施例に限定されるものではなく、本発明の技術的思想の範囲内、すなわち同一の作用効果を発揮できる形状及び寸法の範囲内で、適宜変更することができる。
【実施例１】
【００２６】
図１は、本発明のドア開閉装置の実施形態を示す説明図である。
図１（a）は、本発明のドアロック装置１１の施錠状態を示す全体斜視図である。
本発明のドア開閉装置１０は、手を触れることなく足の爪先Ｆで跳ね上げることでドアの内側から施錠ならびに開錠操作ができる打掛式のドアロック装置１１が装着されるドア開閉装置１０であって、該ドアロック装置１１は、取付けベースプレート２０と、回動プレート３０と、跳ね上げレバー４０と、持受けベースプレート５０と、で構成される。
【００２７】
取付けベースプレート２０は、例えば、ステンレスやクロムメッキ金属素材を使用して、壁Ｋの側面に装着固定される平板状に形成されると共に、回動プレート３０の開錠時の水平状態を維持する突起状の水平止ストッパー２１を備えて形成される。
【００２８】
水平止ストッパー２１は、開錠状態において回動プレート３０の水平状態を維持する突起状の形状を有して形成されるもので、水平状態を保つことで跳ね上げレバー４０を下方から足の爪先Ｆで跳ね上げることを可能にする。
【００２９】
回動プレート３０は、例えば、ステンレスやクロムメッキ金属素材を使用して、長尺平板状に形成され、その基端部が取付けベースプレート２０に枢軸３１を介して回動可能に軸支される形状に形成されるもので、壁Ｋと開閉ドアＤに跨って橋渡しする形状とすることで、開閉ドアＤの開閉を制限する役割を果たす。
【００３０】
跳ね上げレバー４０は、例えば、ステンレスやクロムメッキ金属素材を使用して、回動プレート３０の先端部に足の爪先Ｆで跳ね上げることで上方に向けて跳ね上げることができる所定の厚さと当接面積を有する平板状に形成すると共に、装着側の面に対して反対方向に延設される形状に形成され、先端のペダル部は軟質の合成樹脂素材で形成されていてもよい。
【００３１】
持受けベースプレート５０は、例えば、ステンレスやクロムメッキ金属素材を使用して、平板状のプレートを開口口が上方を向く略コの字状に屈曲させた抱持凹部５１を形成すると共に、該屈曲された立ち上がり面にくり抜き状のレバー受け凹部５３を形成し、施錠時の回動プレート３０の水平状態が維持される位置の開閉ドアＤの側面に装着固定される。
【００３２】
抱持凹部５１は、開口口が上方を向く略コの字状に屈曲される形状に形成され、使用状態においては、回動プレート３０が、該抱持凹部５１に落とし込まれることで施錠状態となるもので、この状態から跳ね上げレバー４０を足の爪先Ｆで跳ね上げることで開錠状態とすることができる。
【００３３】
レバー受け凹部５３は、跳ね上げレバー４０が落とし込まれる凹部で、内開きドア７２、外開きドア７３、引き戸ドア７４等の何れの開閉ドアＤの開閉を制限することができる構造を有して形成される。
尚、壁Ｋ側に回動プレート３０の開錠状態のスペースが確保されない場合、取付けベースプレート２０を開閉ドアＤ側に取り付け、持受けベースプレート５０を壁Ｋ側に取り付けることもできる。
【００３４】
図１（ｂ）は、本発明のドアロック装置１１の開錠状態を示す全体斜視図である。
回動プレート３０が水平止ストッパー２１上に位置することでドアロック装置１１が開錠状態となるもので、この状態から跳ね上げレバー４０を足の爪先Ｆで跳ね上げることで施錠状態とすることができる。
【００３５】
以上で構成される本発明のドア開閉装置１０は、ドアノブに直接触れることなく、ドアの開閉操作と、ドアのロック操作を開閉ドアＤの内側から容易に行える共に、足の爪先Ｆで開閉ドアＤの内側から施錠ならびに開錠操作ができ、さらに不特定多数の人が利用するトイレ用のドアノブとロック装置において、出っ張りや見栄えが悪い欠点を補って、美的外観性が重視されるラバトリーブース等に装着することができるドア開閉装置１０の提供を可能にするものである。
【００３６】
図２は、本発明のドア開閉装置の使用状態を示す説明図である。
図２（a）は、本発明におけるドアロック装置１１の全体斜視図である。
本発明のドアロック装置１１は、壁Ｋと開閉ドアＤの室内側下方付近に取り付けられて使用される。
【００３７】
図２（ｂ）は、本発明のドアロック装置１１の施錠操作状態を示す説明図である。
回動プレート３０が水平止ストッパー２１上に位置することでドアロック装置１１が開錠状態となるもので、この状態から跳ね上げレバー４０を足の爪先Ｆで跳ね上げることで施錠状態とすることができる。
【００３８】
図２（ｃ）は、本発明のドアロック装置１１の開錠操作状態を示す説明図である。
回動プレート３０が持受けベースプレート５０の開口口が上方を向く略コの字状に屈曲される抱持凹部５１に落とし込まれることで施錠状態となるもので、この状態から跳ね上げレバー４０を足の爪先Ｆで跳ね上げることで開錠状態とすることができる。
尚、壁側に回動プレート３０の開錠状態のスペースが確保されない場合、取付けベースプレート２０を開閉ドアＤ側に取り付け、持受けベースプレート５０を壁Ｋ側に取り付けることもできる。
【００３９】
以上で構成される本発明のドア開閉装置１０は、ドアロック装置１１が壁Ｋと開閉ドアＤの室内側下方付近に取り付けられることによって、ドアノブに直接触れることなく、ドアの開閉操作と、ドアのロック操作をドアの内側から容易に行えると共に、足の爪先Ｆで開閉ドアＤの内側から施錠ならびに開錠操作が容易に行うことができるドア開閉装置１０の提供を可能にするものである。
【００４０】
図３は、本発明のドアロック装置を内開きドアに装着した状態を示す説明図である。
本発明のドアロック装置１１が、戸先側方向が開放される略Ｌ形の開閉補助レバー７５をドア高さの中間位置より上方の内側と外側に設けた内開きドア７２に取り付けることができる。
【００４１】
内開きドア７２は、室内側に蝶番７８によって開閉するドアであって、一定のスピードで自動開閉するように調整でき、さらにドアが開いた状態で維持されるドアクローザーを装着することもできる。また、ラッチ錠７６を戸先側に設けて開閉ドアＤが閉められた状態を維持することができる手段（図示参照）も採ることもできる。
【００４２】
開閉補助レバー７５は、戸先側方向が開放される略Ｌ形の形状を有し、ドア高さの中間位置より上方の外側と内側に設けられる。
尚、開閉補助レバー７５の形状は、実施例では略Ｌ形を形成しているが、肘の出し入れができて、ドアの開閉が可能であれば、その他の形状であっても構わない。
【００４３】
本発明における開閉ドアＤの開閉手順を示す。
（１）肘または身体の一部で開閉ドアＤを室内側に押して開く。
（２）身体を室内に入れる。
（３）肘または身体の一部で開閉ドアＤを室外側に押して閉める。
又はドアクローザー作用によって開閉ドアＤが閉まる。
（４）足の爪先Ｆでドアロック装置１１の跳ね上げレバー４０を跳ね上げる。
（５）ドアロック装置１１の回動プレート３０が持受けベースプレート５０の抱持凹部５１に落とし込まれる。
（６）ドアロック装置１１がロック状態となる。
（７）用を足す。
（８）足の爪先Ｆでドアロック装置１１の跳ね上げレバー４０を跳ね上げる。
（９）ドアロック装置１１が開錠状態となる。
（１０）開閉ドアＤの内側に設けられている略Ｌ形の開閉補助レバー７５に右肘を入れて開閉ドアＤを室内側に引いて開く。（図示状態を示す）
（１１）身体を室外に出す。
（１２）開閉ドアＤの外側に設けられている略Ｌ形の開閉補助レバー７５に左肘を入れて開閉ドアＤを室外側に引いて閉じる。
【００４４】
以上で構成される本発明のドア開閉装置１０は、ドアロック装置１１が壁Ｋと開閉ドアＤの室内側下方付近に取り付けられ、さらに開閉補助レバー７５が開閉ドアＤの外側と内側に備えられていることによって、手を使わずに開閉ドアＤの開閉とロック操作が容易にできるドア開閉装置１０の提供を可能にするものである。
【００４５】
図４は、本発明のドアロック装置を外開きドアに装着した状態を示す説明図である。
本発明のドアロック装置１１が、戸先側方向が開放される略Ｌ形の開閉補助レバー７５をドア高さの中間位置より上方の内側と外側に設けた外開きドア７３に取り付けることができる。
【００４６】
外開きドア７３は、室外側に蝶番７８によって開閉するドアであって、一定のスピードで自動開閉するように調整でき、さらにドアが開いた状態で維持されるドアクローザーを設けることもできる。また、ラッチ錠７６を戸先側に設けて開閉ドアＤが閉められた状態を維持する手段（図示参照）を採ることもできる。
【００４７】
開閉補助レバー７５は、戸先側方向が開放される略Ｌ形の形状を有し、ドア高さの中間位置より上方の外側と内側に設けられる。
尚、開閉補助レバー７５の形状は、実施例では略Ｌ形を形成しているが、肘の出し入れができて、ドアの開閉が可能であれば、その他の形状であっても構わない。
【００４８】
本発明における開閉ドアＤの開閉手順を示す。
（１）左肘を外側の開閉補助レバー７５に差し入れて開閉ドアＤを室外側に引いて開く。
（２）身体を室内に入れる。
（３）内側の略Ｌ形の形状の開閉補助レバー７５に右肘を入れて開閉ドアＤを室内側に引いて閉める。（図示状態を示す）又はドアクローザー作用によって開閉ドアＤが閉まる。
（４）足の爪先Ｆでドアロック装置１１の跳ね上げレバー４０を跳ね上げる。
（５）ドアロック装置１１の回動プレート３０が持受けベースプレート５０の抱持凹部５１に落とし込まれる。
（６）ドアロック装置１１がロック状態となる。
（７）用を足す。
（８）足の爪先Ｆでドアロック装置１１の跳ね上げレバー４０を跳ね上げる。
（９）ドアロック装置１１が開錠状態となる。
（１０）肘または身体の一部で開閉ドアＤを室外側に押して開く。
（１１）身体を室外に出す。
（１２）肘または身体の一部で開閉ドアＤを室内側に押して閉じる。
【００４９】
以上で構成される本発明のドア開閉装置１０は、ドアロック装置１１が壁Ｋと開閉ドアＤの室内側下方付近に取り付けられ、さらに開閉補助レバー７５が開閉ドアＤの外側と内側に備えられていることによって、手を使わずに開閉ドアＤの開閉とロック操作が容易にできるドア開閉装置１０の提供を可能にするものである。
【００５０】
図５は、本発明のドアロック装置を引き戸ドアに装着した状態を示す説明図である。
本発明のドアロック装置１１が、開放側がドア面に装着される略コの字状の開閉補助レバー７５をドア高さの中間位置より上方の内側と外側に設けた引き戸ドア７４に取り付けることができる。
【００５１】
引き戸ドア７４ドアは、スライドによってドアが開閉するドアであって、傾斜させたスライドレールに吊持滑車を嵌め込んで自動開閉するようにすることもできる。
【００５２】
開閉補助レバー７５は、開放側がドア面に装着される略コの字状の形状を有し高さの中間位置より上方の内側と外側に設けられる。
尚、開閉補助レバー７５の形状は、実施例では略コの字状に形成しているが、肘を入れてドアの開閉が可能であれば、その他の形状であっても構わない。
【００５３】
本発明における開閉ドアＤの開閉手順を示す。
（１）左肘を外側の開閉補助レバー７５に添えて開閉ドアＤを戸先側と反対方向にスライドさせながら押して開く。
（２）身体を室内に入れる。
（３）右肘を内側の開閉補助レバー７５に添えて開閉ドアＤを戸先側にスライドさせながら引いて閉める。
（４）足の爪先Ｆでドアロック装置１１の跳ね上げレバー４０を跳ね上げる。
（５）ドアロック装置１１の回動プレート３０が持受けベースプレート５０の抱持凹部５１に落とし込まれる。
（６）ドアロック装置１１がロック状態となる。
（７）用を足す。
（８）足の爪先Ｆでドアロック装置１１の跳ね上げレバー４０を跳ね上げる。
（９）ドアロック装置１１が開錠状態となる。
（１０）右肘を内側の開閉補助レバー７５に添えて開閉ドアＤを戸先側と反対方向にスライドさせながら開閉ドアＤを押して開く。（図示状態を示す）
（１１）身体を室外に出す。
（１２）右肘を外側の開閉補助レバー７５に添えて開閉ドアＤを戸先側にスライドさせながら引いて閉める。
【００５４】
以上で構成される本発明のドア開閉装置１０は、ドアロック装置１１が壁Ｋと開閉ドアＤの室内側下方付近に取り付けられ、さらに開閉補助レバー７５が開閉ドアＤの外側と内側に備えられていることによって、手を使わずに開閉ドアＤの開閉とロック操作が容易にできるドア開閉装置１０の提供を可能にするものである。
【実施例２】
【００５５】
図６は、本発明のドア開閉装置の別の実施形態を示す説明図である。
本発明のドア開閉装置１０は、手を触れることなく足の爪先Ｆで跳ね上げることでドアの内側から施錠ならびに開錠操作ができる打掛式のドアロック装置１１が取り付けられるドア開閉装置１０であって、該ドアロック装置１１は、取付けベースプレート２０と、回動プレート３０と、跳ね上げレバー４０と、持受けベースプレート５０と、で構成され、取付けベースプレート２０は、壁Ｋの側面に装着固定される平板状に形成されると共に、回動プレート３０の開錠時の水平状態を維持する突起状の水平止ストッパー２１を備えて成り、回動プレート３０は、長尺平板状に形成され、その基端部が取付けベースプレート２０に枢軸３１を介して回動可能に軸支される形状に形成されると共に、先端部付近には回動プレートストッパー５４に掛止される凹部状のストッパー受け凹部３２を形成して成り、跳ね上げレバー４０は、回動プレート３０の先端部に足の爪先Ｆで跳ね上げることで上方に向けて跳ね上げることができる所定の厚さと当接面積を有する平板状に形成すると共に、装着側の面に対して反対方向に延設して成り、持受けベースプレート５０は、平板状に形成され、施錠時の回動プレート３０の水平状態が維持される位置に頭部に段差を有する回動プレートストッパー５４を突設して成る手段を採ることができる。
尚、実施例２の開閉ドアＤの開閉手順及び開閉操作は、実施例１とほぼ同様であるため省略する。
【００５６】
取付けベースプレート２０は、例えば、ステンレスやクロムメッキ金属素材を使用して、壁Ｋの側面に装着固定される平板状に形成されると共に、回動プレート３０の開錠時の水平状態を維持する突起状の水平止ストッパー２１を備えて形成される。
【００５７】
水平止ストッパー２１は、開錠状態において回動プレート３０の水平状態を維持する突起状の形状を有して形成されるもので、水平状態を保つことで跳ね上げレバー４０を下方から足の爪先Ｆで跳ね上げることを可能にする。
【００５８】
回動プレート３０は、例えば、ステンレスやクロムメッキ金属素材を使用して、長尺平板状に形成され、その基端部が取付けベースプレート２０に枢軸３１を介して回動可能に軸支される形状に形成されると共に、先端部付近には回動プレートストッパー５４に掛止される凹部状のストッパー受け凹部３２を形成して成るもので、壁Ｋと開閉ドアＤに跨って橋渡しする形状とすることで、開閉ドアＤの開閉を制限する役割を果たす。
【００５９】
ストッパー受け凹部３２は、回動プレート３０の先端部付近に回動プレートストッパー５４が掛止される凹部状に形成される。
【００６０】
跳ね上げレバー４０は、例えば、ステンレスやクロムメッキ金属素材を使用して、回動プレート３０の先端部に足の爪先Ｆで跳ね上げることで上方に向けて跳ね上げることができる所定の厚さと当接面積を有する平板状に形成すると共に、装着側の面に対して反対方向に延設される形状を有してドア側の面に対して反対方向に延設される形状に形成され、先端のペダル部は軟質の合成樹脂素材で形成されていてもよい。
【００６１】
持受けベースプレート５０は、例えば、ステンレスやクロムメッキ金属素材を使用して、平板のプレート状に形成され、施錠時の回動プレート３０の水平状態が維持される位置に頭部に段差を有する回動プレートストッパー５４を突設して成る形状に形成される。
【００６２】
回動プレートストッパー５４は、持受けベースプレート５０の略中央位置に突設され、施錠時の回動プレート３０の水平状態が維持される位置に頭部に段差を有した形状に形成される。
【００６３】
上記における施錠手段となる構造は、回動プレートストッパー５４の頭部に段差が形成され、該段差に回動プレート３０のストッパー受け凹部３２が掛止されることによって開閉ドアＤの開閉が制限されるものである。
【実施例３】
【００６４】
図７は、本発明のドア開閉装置の別の実施形態を示す説明図である。
本発明におけるドアロック装置１１は、回動プレート３０の枢軸３１の壁Ｋを挟んだ対向位置に「使用中」を表示する表示プレート６０を連結して成る手段を採ることができる。
【００６５】
表示プレート６０は、例えば、ステンレスやクロムメッキ金属素材を使用した矢印状のプレートで形成され、ドアロック装置１１の回動プレート３０の動きと連動して作動するもので、例えば、トイレの中に使用者がいることを室外から視認することができる形状に形成される。
【産業上の利用可能性】
【００６６】
本発明のドア開閉装置は、手を触れることなく足の爪先で跳ね上げることでドアの内側から施錠ならびに開錠操作ができる共に、内開きドア、外開きドア、引き戸ドアの何れの開閉ドアにも取り付けることができることから、本発明における「ドア開閉装置」の産業上の利用可能性は極めて大であるものと思料する。
【符号の説明】
【００６７】
１０  ドア開閉装置
１１  ドアロック装置
２０  取付けベースプレート
２１  水平止ストッパー
３０  回動プレート
３１  枢軸
３２  ストッパー受け凹部
４０  跳ね上げレバー
５０  持受けベースプレート
５１  抱持凹部
５２  立ち上がり壁面
５３  レバー受け凹部
５４  回動プレートストッパー
６０  表示プレート
７２  内開きドア
７３  外開きドア
７４  引き戸ドア
７５  開閉補助レバー
７６  ラッチ錠
７８  蝶番
Ｆ  足の爪先
Ｋ  壁
Ｄ  開閉ドア
【要約】      （修正有）【課題】手を触れることなく足の爪先で跳ね上げることでドアの内側から施錠ならびに開錠操作ができる打掛式のドアロック装置が装着されるドア開閉装置の提供を図る。【解決手段】本発明のドア開閉装置は、長尺平板状に形成され、その基端部が前記取付けベースプレートに枢軸を介して回動可能に軸支される形状に形成される回動プレートと、足の爪先で跳ね上げることで上方に向けて跳ね上げることができる所定の厚さと当接面積を有する平板状に形成すると共に、装着側の面に対して反対方向に延設して成る跳ね上げレバーと、平板状のプレートを開口口が上方を向く略コの字状に屈曲させた抱持凹部を形成すると共に、該屈曲された立ち上がり面にくり抜き状のレバー受け凹部を形成する持受けベースプレートと、で構成される手段を採る。【選択図】図１【図１】
0006886762.tif 000002
【図２】
0006886762.tif 000003
【図３】
0006886762.tif 000004
【図４】
0006886762.tif 000005
【図５】
0006886762.tif 000006
【図６】
0006886762.tif 000007
【図７】
0006886762.tif 000008